(57)【要約】      （修正有）【課題】室内外に自由に設置でき、バスケットボールのゲーム性を高めることができるとともに、バスケットボールのシュート練習を複数の者が同時に行うことのできるバスケットボール台を提供する。【解決手段】基台１の上部に主柱２及び副柱を設置し、一方、基台下部には移動車輪４を設置するとともに、前記主柱の先端に外枠ライン入りバックボード９を設け、該外枠ライン入りバックボードに複数のバスケットゴール１０ａ，１０ｂ，１０ｃをそれぞれ上下移動可能に設置する。【選択図】図１
0003174747.tif 000002
【実用新案登録請求の範囲】
【請求項１】
基台上部に主柱及び副柱を設置し、一方、基台下部には移動車輪を設置するとともに、前記主柱の先端に外枠ライン入りバックボードを設け、該外枠ライン入りバックボードに複数のバスケットゴールをそれぞれ上下移動可能に設置することを特徴とするバスケットボール台。
【考案の詳細な説明】
【技術分野】
【０００１】
本考案は、バスケットボール球技に使用されるバスケットボール台に関する。
【背景技術】
【０００２】
一般に、バスケットボール球技の際にバスケットボールをシュートする対象のバスケットゴールは、バスケットボール台に１個のみで且つ一箇所に固定される構造をしている。
【０００３】
しかしながら、このような構造のバスケットボール台にあっては、小学生や中学生の低学年者やバスケットボール球技に不慣れの者にとっては、バスケットボールをバスケットゴールにシュートしてもなかなか入らず次第にバスケットボール球技に対する楽しさが失せていくことになる。
また、バスケットボールのシュート練習においても、設置されているバスケットゴールが１個しかないため、シュート順番がくるまで並んで待たなければならず、これもまたバスケットボール球技に対する楽しさをなくしていく一要因ともなっている。
【０００４】
そこで、特許文献１には、第１〜第３バスケットゴール装置が、収納状態及び使用状態の切替可能並びに使用状態にて高さ調整可能に構成されたバスケットゴールをそれぞれ備えており、操作パネルにより使用するバスケットゴール装置が選択されると、同選択されたバスケットゴール装置はバスケットゴール装置を使用状態に切替え、同バスケットゴールにバスケットボールが投込まれたとき同バスケットゴール毎に得点を積算し、この場合の積算される得点はバスケットボールが投げられた領域に対応し、また、前記バスケットゴールは操作パネルにより選択された高さに調整される技術が開示されている。
【先行技術文献】
【特許文献】
【０００５】
【特許文献１】特開平１０−２４１３６号公報
【考案の概要】
【考案が解決しようとする課題】
【０００６】
しかしながら、上記特許文献１では、バスケットボール装置全体が大掛かりな装置となり、さらに制御装置等も備えているため、バスケットボール装置は室内にしか設置できず、しかも一度設置すると設置場所の変更には作業手間と多額の費用を要するという問題があった。
【０００７】
本考案は、室内外に自由に設置でき、バスケットボール球技のゲーム性を高めるとともに、バスケットボールのシュート練習を複数の者が同時に行うことのできるバスケットボール台を提供することを目的とする。
【課題を解決するための手段】
【０００８】
上記課題を解決するために、本考案のバスケットボール台は、基台上部に主柱及び副柱を設置し、一方、基台下部には移動車輪を設置するとともに、前記主柱の先端に外枠ライン入りバックボードを設け、該外枠ライン入りバックボードに複数のバスケットゴールをそれぞれ上下移動可能に設置することを特徴とする。
【考案の効果】
【０００９】
本考案によれば、バスケットボール台を室内外に自由に設置でき、バスケットボールのバスケットゴールを複数設置することにより、バスケットボール球技のゲーム性を高めることができるとともに、バスケットボールのシュート練習を複数の者が同時に行うことができる。
【図面の簡単な説明】
【００１０】
【図１】は本考案の第１実施例に係るバスケットボール台を示す正面概略図である。
【図２】は本考案の第１実施例に係るバスケットボール台を示す側面概略図である。
【図３】は本考案の第１実施例に係るバスケットボール台を示す平面概略図である。
【図４】は本考案の第２実施例に係るバスケットボール台を示す正面概略図である。
【図５】は本考案の第２実施例に係るバスケットボール台を示す側面概略図である。
【図６】は本考案の第３実施例に係るバスケットボール台を示す正面概略図である。
【図７】は本考案の第４実施例に係るバスケットボール台を示す正面概略図である。
【図８】は本考案の第５実施例に係るバスケットボール台を示す正面概略図である。
【図９】は本考案の第６実施例に係るバスケットボール台を示す正面概略図である。
【図１０】は本考案の第７実施例に係るバスケットボール台を示す正面概略図である。
【考案を実施するための最良の形態】
【００１１】
以下、本考案を実施するための最良の実施形態について説明する。  
図１〜図３に本考案の第１実施形態のバスケットボール台を示す。
基台１の上部には、２本の主柱２及び２本の副柱３が設けられ、該副柱３の先端部は主柱２に固定されている。
また、基台１の下部の前方位置に固定車としての一対のゴム車４が設けられ、後方位置には自在車としての一対のゴム車５が設けられている。なお、ゴム車４，５の材質には、不滑性のゴム材が使用されている。
さらに、基台１の上には、バスケットボール台Ａの安定をより一層図るための３個のコンクリートウェイト６，６，６が設置されている。
【００１２】
主柱２と副柱３との間には、補強パイプ７が設けられ、さらに副柱３が固定されている先端部付近の主柱２には補強パイプ８が設けられている。
主柱２と補強パイプ８の先端部には、外枠ライン入りバックボード９が取り付けられ、該外枠ライン入りバックボード９の前面には３個のバスケットゴール１０ａ，１０ｂ，１０ｃが等間隔で上下方向に移動自在に設けられている。該バスケットゴール１０ａ，１０ｂ，１０ｃはゴールリング１１とネット１２とバスケットボールのシュートエリアの線帯１３から構成されている。
なお、これらのバスケットゴール１０ａ，１０ｂ，１０ｃを上下に移動するための図示しない駆動装置がバスケットボール台Ａに設けられている。
【００１３】
また、図１に示すように主柱２，２間には交差するブレース１４，１４が張設され、該ブレース１４にはブレース１４の張状態を調節するタンバックル１５が取り付けられている。これらタンバックル１５を備えたブレース１４の構造は、上記の取付位置以外にも備えられている。即ち、図２に示す如く、主柱２と補強パイプ８との間にも備えられ、さらに、図３に示す如く、主柱２，２間と、副柱３，３間にも備えられている。
【００１４】
上記構造により、バスケットボール台Ａを室内または室外にこだわることなく自由に設置でき、バスケットボールのバスケットゴールを３個設置することにより、バスケットボール球技のゲーム性を高めることができるとともに、バスケットボールのシュート練習を複数の者が同時に行うことができる。
【００１５】
図４，図５は本考案のバスケットボール台の第２実施例の態様を示している。
バスケットゴール２０ａを最下位置に、バスケットゴール２０ｂを中間位置に、バスケットゴール２０ｃを最上位置に移動してそれぞれ異なった高さの位置に配置することにより、バスケットボールのゲーム性を高めることができるとともに、バスケットボールのシュート練習を行うに際しても同時に複数の者が高さの異なるシュート練習を行うことができる。
なお、図中において、図１〜図３と同符号は同一のものを示している。
【００１６】
図６は本考案のバスケットボール台の第３実施例の態様を示している。
第３実施例は、上述の第２実施例のバスケットゴール２０ａ，２０ｂ，２０ｃの配置と相対位置に配置したものである。即ち、バスケットゴール３０ａを最上位置に、バスケットゴール３０ｂを中間位置に、バスケットゴール３０ｃを最下位置となるように移動配置して、それぞれ異なった高さの位置に配置することにより、バスケットボールのゲーム性を高めることができるとともに、バスケットボールのシュート練習を行うに際しても同時に複数の者が高さの異なるシュート練習を行うことができる。
なお、図中において、図１〜図３と同符号は同一のものを示している。
【００１７】
図７は本考案のバスケットボール台の第４実施例の態様を示している。
バスケットゴール４０ａとバスケットゴール４０ｃを最下位置とし、バスケットゴール４０ｂを最上位置となるように移動配置して、それぞれ異なった高さの位置に配置することにより、バスケットボールのゲーム性を高めることができるとともに、バスケットボールのシュート練習を行うに際しても同時に複数の者が高さの異なるシュート練習を行うことができる。
なお、図中において、図１〜図３と同符号は同一のものを示している。
【００１８】
図８は本考案のバスケットボール台の第５実施例の態様を示している。
バスケットゴール５０ａとバスケットゴール５０ｃを最上位置に、バスケットゴール５０ｂを最下位置となるように移動配置して、それぞれ異なった高さの位置に配置することにより、バスケットボールのゲーム性を高めることができるとともに、バスケットボールのシュート練習を行うに際しても同時に複数の者が高さの異なるシュート練習を行うことができる。
なお、図中において、図１〜図３と同符号は同一のものを示している。
【００１９】
図９は本考案のバスケットボール台の第６実施例の態様を示している。
バスケットゴール６０ｂとバスケットゴール６０ｃを最上位置に、バスケットゴール６０ａを最下位置となるように移動配置して、それぞれ異なった高さの位置に配置することにより、バスケットボールのゲーム性を高めることができるとともに、バスケットボールのシュート練習を行うに際しても同時に複数の者が高さの異なるシュート練習を行うことができる。
なお、図中において、図１〜図３と同符号は同一のものを示している。
【００２０】
図１０は本考案のバスケットボール台の第７実施例の態様を示している。
バスケットゴール７０ａとバスケットゴール７０ｂを最下位置に、バスケットゴール７０ｃを最上位置となるように移動配置して、それぞれ異なった高さの位置に配置することにより、バスケットボールのゲーム性を高めることができるとともに、バスケットボールのシュート練習を行うに際しても同時に複数の者が高さの異なるシュート練習を行うことができる。
なお、図中において、図１〜図３と同符号は同一のものを示している。
【００２１】
なお、各バスケットゴールの配置を示す上述の各実施例の態様は、一つの態様であって、これらの態様に限定されることなく種々の配置が考えられることはいうまでもなく、また、バスケットゴールの数によっても種々の配置が考えられることはいうまでもない。
【符号の説明】
【００２２】
Ａ                        バスケットボール台
１                        基台
２                        主柱
３                        副柱
４                        ゴム車（固定車）
５                        ゴム車（自在車）
６                        コンクリートウェイト
・                補強パイプ
９                        外枠ライン入りバックボード
１０ａ，１０ｂ，１０ｃ    バスケットゴール
１１                      ゴールリング
１２                      ネット
１３                      シュートエリアの綿帯
１４                      ブレース
１５                      タンバックル
２０ａ，２０ｂ，２０ｃ    バスケットゴール
３０ｂ，３０ｂ，３０ｃ    バスケットゴール
４０ａ，４０ｂ，４０ｃ    バスケットゴール
５０ａ，５０ｂ，５０ｃ    バスケットゴール
６０ａ，６０ｂ，６０ｃ    バスケットゴール
７０ａ，７０ｂ，７０ｃ    バスケットゴール
【図１】
0003174747.tif 000003
【図２】
0003174747.tif 000004
【図３】
0003174747.tif 000005
【図４】
0003174747.tif 000006
【図５】
0003174747.tif 000007
【図６】
0003174747.tif 000008
【図７】
0003174747.tif 000009
【図８】
0003174747.tif 000010
【図９】
0003174747.tif 000011
【図１０】
0003174747.tif 000012